(57)【要約】【課題】  映像表示が標準の色温度の場合、目視では正しい色に見えるが、これをビデオカメラで撮像して得られる映像は青が強い色となる。一方映像表示の色温度を補正して、ビデオカメラで撮像して得られる映像の色再現性を確保した場合、目視では赤が強い色に見える。このため、目視でも、ビデオカメラによる撮像で得られる映像も正しい色となる映像表示撮像方法を提供することである。【解決手段】  ビデオカメラでの撮像用に最適な色温度へ補正し、かつ所定の偏光特性を付加した補正映像表示と、それに対し逆補正した色温度で、相反する偏光特性を付加した逆補正映像表示とを重ね合わせた表示を、レンズの前に所定の偏光特性の光のみを透過させる偏光フィルタを設置したビデオカメラで撮像する。目視では平均として標準の色温度で見え、同時に、ビデオカメラでは補正映像表示のみを撮像し、色再現性を確保する。【選択図】  図１
2005143066.tif 000002
【特許請求の範囲】
【請求項１】
映像表示装置の映像表示において、目視に最適な標準の色温度で表示される標準の映像表示に対して、前記標準の映像表示と同一の映像信号を元に、ビデオカメラでの撮像用に最適な色温度へ補正した第１の補正色温度で、かつ第１の偏光特性を付加した映像表示を第１の補正映像表示として、また、前記標準の色温度に対して、前記第１の補正色温度の補正量を逆補正した第２の補正色温度で、かつ前記第１の偏光特性と相反する第２の偏光特性を付加した映像表示を第２の補正映像表示として、前記第１の補正映像表示と前記第２の補正映像表示を重ね合わせた表示である二重映像表示を特徴とする映像表示装置。
【請求項２】
請求項１に記載の映像表示装置であって、目視では前記第１の補正映像表示と前記第２の補正映像表示の平均として、前記標準の映像表示と同等に見え、同時に、ビデオカメラの光学系の適当な位置に、前記第１の偏光特性の光のみを透過する偏光フィルタを取り付けて撮像ことにより、前記第１の補正映像表示のみを撮像することができることを特徴とする映像表示撮像方法。
【発明の詳細な説明】
【技術分野】
【０００１】  この発明は、映像表示装置、及び映像表示撮像方法に関するものである。
【背景技術】
【０００２】  スタジオや舞台などにおいて、映像表示装置の映像表示をビデオカメラで撮像することがある。この場合、前記ビデオカメラのホワイトバランスは、この場所へ照射する照明の色温度に合わせて調整するものである。【０００３】  一般にスタジオや舞台などにおける通常の照明の色温度は３２００Ｋ（ケルビン）程度で赤が強い光である。また一般的な映像表示装置の映像表示の色温度は６５００Ｋから９３００Ｋで使用することが多く、目視では正しい色に見える。しかし、これを前記ビデオカメラで撮像して得られる映像は青が強い色となる。【０００４】  そのため、前記映像表示装置の映像表示の色温度を前記通常の照明の色温度である３２００Ｋ程度に合わせることにより、前記ビデオカメラで撮像して得られる映像の色再現性が確保される。しかし目視では赤が強い色に見える。【０００５】  これらの相反する問題を解決する従来の技術として、映像表示装置において、目視に最適な標準の色温度での映像表示を基準として、ビデオカメラでの撮像用に最適な色温度に補正した色温度での映像表示と、その補正量を逆補正した色温度での映像表示とを時分割で交互に高速で切り替えて表示することにより、目視では２つの映像表示の平均として、前記目視に最適な標準の色温度での映像表示と同等に見え、同時に、前記映像装置の映像表示を撮像するためのビデオカメラは電子シャッターを入れることにより、前記撮像用に最適な色温度に補正した色温度での映像表示のみを撮像することを特徴とする映像表示撮像システムがある。この場合、前記映像表示装置の映像表示と前記ビデオカメラの同期信号の周波数を一致させ、さらに垂直同期の位相調整が必要である（特許文献１、非特許文献１参照。）。
【特許文献１】    特開２００２−２７４９２号
【非特許文献１】    「月刊誌  放送技術  ２００３年１月号（第５６巻・第１号）、兼六館出版株式会社発行、２００３年１月１日、Ｐ１３６、直視用・再撮用色温度２値同時表示モニタの開発」
【発明の開示】
【発明が解決しようとする課題】
【０００６】  一般にスタジオや舞台などにおいて、映像表示装置の映像表示を演出として使用することがある。この場合に、目視では前記映像表示が目視に最適な標準の色温度で表示される映像表示と同等に見え、同時に、ビデオカメラで前記映像表示を撮像して得られる映像の色再現性が確保されることを特徴とする映像表示撮像の一方法を提供することにある。
【課題を解決するための手段】
【０００７】  請求項１に記載の発明は、映像表示装置の映像表示において、目視に最適な標準の色温度で表示される標準の映像表示に対して、前記標準の映像表示と同一の映像信号を元に、ビデオカメラでの撮像用に最適な色温度へ補正した第１の補正色温度で、かつ第１の偏光特性を付加した映像表示を第１の補正映像表示として、また、前記標準の色温度に対して、前記第１の補正色温度の補正量を逆補正した第２の補正色温度で、かつ前記第１の偏光特性と相反する第２の偏光特性を付加した映像表示を第２の補正映像表示として、前記第１の補正映像表示と前記第２の補正映像表示を重ね合わせた表示である二重映像表示を特徴とする映像表示装置を提供するものである。【０００８】  請求項２に記載の発明は、請求項１に記載の映像表示装置であって、目視では前記第１の補正映像表示と前記第２の補正映像表示の平均として、前記標準の映像表示と同等に見え、同時に、ビデオカメラの光学系の適当な位置に、前記第１の偏光特性の光のみを透過する偏光フィルタを取り付けて撮像ことにより、前記第１の補正映像表示のみを撮像することができることを特徴とする映像表示撮像方法を提供するものである。
【発明の効果】
【０００９】  請求項１、及び請求項２の発明によれば、映像表示装置の映像表示において、目視では標準の色温度での映像表示と同等に見え、同時に、ビデオカメラの光学系の適当な位置に所定の偏光フィルタを取り付けて撮像ことにより、前記映像表示を撮像して得られる映像の色再現性が確保される。なお、前記偏光フィルタを取り付けたままの前記ビデオカメラによる前記映像表示以外の被写体の撮像については、色再現性を妨げるものではない。【００１０】  また、従来の技術で同等の効果を得る場合は、映像表示装置の映像表示とビデオカメラの同期信号の周波数を一致させ、さらに垂直同期の位相調整が必要であるが、この発明では、ビデオカメラはその必要が無く所定の偏光フィルタの取り付けのみで良いので、映像表示装置に対して電気信号的に独立して運用でき、ビデオカメラで撮像する側にとって利用が簡便となる。
【発明を実施するための最良の形態】
【００１１】  スタジオや舞台などにおいて、映像表示装置の映像表示をビデオカメラで撮像することがある。この場合、前記ビデオカメラのホワイトバランスは、この場所へ照射する照明の色温度に合わせて調整するものである。【００１２】  一般にスタジオや舞台などにおける通常の照明の色温度は３２００Ｋ（ケルビン）程度で赤が強い光である。また一般的な映像表示装置の映像表示の色温度は６５００Ｋから９３００Ｋで使用するものとする。【００１３】  これらの条件のもとで、図２は映像表示装置の映像表示において、目視に最適な標準の色温度のホワイトバランス（１）を表すグラフである。【００１４】  図３は前記標準の色温度のホワイトバランス（１）を基準として、前記ビデオカメラでの撮像用に最適な色温度に補正した第１の補正色温度のホワイトバランス（３）を表すグラフである。適当なホワイトバランス補正装置により得ることができる。【００１５】  図４は前記標準の色温度のホワイトバランス（１）を基準として、前記第１の補正色温度のホワイトバランス（３）の補正量を逆補正した第２の補正色温度のホワイトバランス（６）を表すグラフである。適当なホワイトバランス補正装置により得ることができる。【００１６】  図１はこの発明を実施するための最良の形態に係る目視用・撮像用色温度２値同時映像表示撮像方法を示すブロック図である。映像表示装置の映像表示において、目視に最適な前記標準の色温度のホワイトバランス（１）での映像表示を標準の映像表示（２）とする。また、前記標準の映像表示（２）と同一の映像信号を元に、ビデオカメラ（１１）での撮像用に最適な色温度に補正した前記第１の補正色温度のホワイトバランス（３）で、かつ第１の偏光特性（４）を付加した映像表示を第１の補正映像表示（５）とする。また、また、前記標準の映像表示（２）と同一の映像信号を元に、前記標準の色温度のホワイトバランス（１）を基準として、前記第１の補正色温度のホワイトバランス（３）の補正量を逆補正した前記第２の補正色温度のホワイトバランス（６）で、かつ前記第１の偏光特性（４）と相反する第２の偏光特性（７）を付加した映像表示を第２の補正映像表示（８）とする。ここで前記第１の補正映像表示（５）と前記第２の補正映像表示（８）を重ね合わせた表示である二重映像表示（９）を得るものである。【００１７】  前記二重映像表示（９）は、目視（１０）では、前記第１の補正映像表示（５）と前記第２の補正映像表示（８）の２つの映像表示の平均として、前記標準の映像表示（２）と同等に見える。【００１８】  同時に、前記ビデオカメラ（１１）のレンズ前面に、前記第１の偏光特性（４）の光のみを透過する偏光フィルタ（１２）を取り付けて撮像ことにより、前記第１の補正映像表示（５）のみを撮像することができる。なお、ビデオカメラによっては、レンズと撮像素子の間にフィルタの設置が可能なものがあるので、前記偏光フィルタ（１２）は、その位置に取り付けても良い。
【実施例１】
【００１９】  図５はこの発明の映像表示装置の実施例１のブロック図である。前記標準の映像表示（２）と同一の映像信号を元に、前記標準の色温度のホワイトバランス（１）を基準として、前記ビデオカメラ（１１）での撮像用に最適な色温度に補正した第１の補正色温度のホワイトバランス（３）で、第１のビデオプロジェクタ（１３）のレンズ前面に、第１の偏光フィルタ（１４）を設置し、投写することにより、スクリーンである第１の映像表示機（１７）に前記第１の補正映像表示（５）を得る。同時に前記標準映像表示（２）と同一の映像信号を元に、前記標準の色温度のホワイトバランス（１）を基準として、前記第１の補正色温度のホワイトバランス（３）の補正量を逆補正した第２の補正色温度のホワイトバランス（６）で、第２のビデオプロジェクタ（１５）のレンズ前面に、前記第１の偏光フィルタ（１４）の特性と相反する特性を持つ第２の偏光フィルタ（１６）を設置し、投写することにより、前記第１の映像表示機（１７）に前記第２の補正映像表示（８）を得る。前記第１の補正映像表示（５）と前記第２の補正映像表示（８）が前記第１の映像表示機（１７）で重なって、第１の二重映像表示（１８）が得られる。【００２０】  ビデオプロジェクタは、レンズ前面に偏光フィルタを設置するので、例えばＤＬＰ方式などのビデオプロジェクタ自身の映像表示に偏光特性の持たない方式が利用できる。【００２１】  偏光特性として、直線偏光と円偏光の両方が利用できる。【００２２】  前記第１の映像表示機（１７）であるスクリーンは、拡散率が低く、かつ単一指向反射特性のものが必要で、一般にシルバースクリーンという商品分類で実現している。投写方式は前面投写や背面投写がある。【００２３】  前記第１の二重映像表示（１８）において、目視（１０）では、前記第１の補正映像表示（５）と前記第２の補正映像表示（８）の２つの映像表示の平均として、前記標準の映像表示（２）と同等に見える。【００２４】  同時に、前記ビデオカメラ（１１）の光学系の適当な位置に取り付ける偏光フィルタ（１２）として、前記第１の偏光フィルタ（１４）と同一特性の偏光フィルタ（１２）を取り付けて撮像ことにより、前記第１の補正映像表示（５）のみを撮像することができる。
【実施例２】
【００２５】  図６はこの発明の映像表示装置の実施例２のブロック図である。前記標準の映像表示（２）と同一の映像信号を元に、前記標準の色温度のホワイトバランス（１）を基準として、前記ビデオカメラ（１１）での撮像用に最適な色温度に補正した第１の補正色温度のホワイトバランス（３）での映像表示を、走査方式の第２の映像表示機（１９）に１ラインおきに表示する。同時に前記標準の映像表示（２）と同一の映像信号を元に、前記標準の色温度のホワイトバランス（１）を基準として、前記第１の補正色温度のホワイトバランス（３）の補正量を逆補正した第２の補正色温度のホワイトバランス（６）の映像表示を、残りの１ラインおきに表示する。前記第２の映像表示機（１９）の表面に１ラインおきに相反する特性の第１の偏光フィルム（２０）、及び第２の偏光フィルム（２１）で構成されるライン交互偏光フィルム（２２）を貼り付ける。これにより前記第１の補正映像表示（５）と前記第２の補正映像表示（８）が前記第２の映像表示機（１９）に１ラインおきに表示され、第２の二重映像表示（２３）が得られる。【００２６】  １ラインおきの色温度補正は、適当なビデオエンコーダを用いて作成することができる。【００２７】  前記第２の映像表示機（１９）は、表面にライン交互偏光フィルム（２２）を貼り付けるので、例えばＰＤＰ方式やＣＲＴ方式などの映像表示機自身の映像表示に偏光特性の持たない方式が利用できる。【００２８】  偏光特性として、直線偏光と円偏光の両方が利用できる。【００２９】  前記第２の二重映像表示（２３）において、目視（１０）では、前記第１の補正映像表示（５）と前記第２の補正映像表示（８）の２つの映像表示の平均として、前記標準の映像表示（２）と同等に見える。【００３０】  同時に、前記ビデオカメラ（１１）の光学系の適当な位置に取り付ける偏光フィルタ（１２）として、前記第１の偏光フィル厶（２０）と同一特性の偏光フィルタ（１２）を取り付けて撮像ことにより、前記第１の補正映像表示（５）のみを撮像することができる。
【実施例３】
【００３１】  図７はこの発明の映像表示装置の実施例３のブロック図である。前記標準の映像表示（２）と同一の映像信号を元に、前記標準の色温度のホワイトバランス（１）を基準として、前記ビデオカメラ（１１）での撮像用に最適な色温度に補正した第１の補正色温度のホワイトバランス（３）の映像表示を、直線偏光特性を持った走査方式の第３の映像表示機（２４）に１ラインおきに表示する。同時に前記標準の映像表示（２）と同一の映像信号を元に、前記標準の色温度のホワイトバランス（１）を基準として、前記第１の補正色温度のホワイトバランス（３）の補正量を逆補正した第２の補正色温度のホワイトバランス（６）の映像表示を、残りの１ラインおきに表示する。前記第３の映像表示機（２４）の表面に、１ラインおきに光を無変換で透過させる０部偏光フィルム（２５）、及び光の偏光を９０度回転して透過させるるπ部偏光フィルム（２６）で構成されるインターレース０／π部偏光フィルム（２７）を貼り付ける。これにより前記第１の補正映像表示（５）と前記第２の補正映像表示（８）が前記第３の映像表示機（２４）に１ラインおきに表示され、第３の二重映像表示（２８）が得られる。【００３２】  １ラインおきの色温度補正は、適当なビデオエンコーダを用いて作成することができる。【００３３】  前記インターレース０／π部偏光フィルム（２７）はマイクロポールという商品名で実現している。【００３４】  前記第３の映像表示機（２４）は、表面にインターレース０／π部偏光フィルム（２７）を貼り付けるので、例えば液晶方式などの映像表示機自身の映像表示の三原色に一律な直線偏光特性を持つ方式が利用できる。【００３５】  偏光特性として、直線偏光が利用できる。【００３６】  前記第３の二重映像表示（２８）において、目視（１０）では、前記第１の補正映像表示（５）と前記第２の補正映像表示（８）の２つの映像表示の平均として、前記標準の映像表示（２）と同等に見える。【００３７】  同時に、前記ビデオカメラ（１１）の光学系の適当な位置に取り付ける偏光フィルタ（１２）として、前記第３の映像表示機（２４）が固有で持っている偏光特性の光のみを透過する偏光フィルタ（１２）を取り付けて撮像ことにより、前記第１の補正映像表示（５）のみを撮像することができる。
【実施例４】
【００３８】  図８はこの発明の映像表示装置の実施例４のブロック図である。液晶プロジェクタである第３のビデオプロジェクタ（２９）の液晶面（３０）に前記実施例３を応用して、その液晶面を第３の二重映像表示（２８）とする。前記第３のビデオプロジェクタ（２９）を投写することにより、スクリーンである第４の映像表示機（３１）に前記第３の二重映像表示（２８）と同等の第４の二重映像表示（３２）を得る。【００３９】  偏光特性として、直線偏光が利用できる。【００４０】  前記第４の映像表示機（３１）であるスクリーンは、拡散率が低く、かつ単一指向反射特性のものが必要で、一般にシルバースクリーンという商品分類で実現している。投写方式は前面投写や背面投写がある。【００４１】  前記第４の二重映像表示（３２）において、目視（１０）では、前記第１の補正映像表示（５）と前記第２の補正映像表示（８）の２つの映像表示の平均として、前記標準の映像表示（２）と同等に見える。【００４２】  同時に、前記ビデオカメラ（１１）の光学系の適当な位置に取り付ける偏光フィルタ（１２）として、前記第４の映像表示機（３１）が固有で持っている偏光特性の光のみを透過する偏光フィルタ（１２）を取り付けて撮像ことにより、前記第１の補正映像表示（５）のみを撮像することができる。
【図面の簡単な説明】
【００４３】
【図１】  この発明を実施するための最良の形態に係る目視用・撮像用色温度２値同時映像表示撮像方法を示すブロック図である。
【図２】  この発明の目視に最適な標準の色温度のホワイトバランスを表わすグラフである。
【図３】  この発明のビデオカメラでの撮像用に最適な色温度に補正した第１の補正色温度のホワイトバランスを表わすグラフである。
【図４】  この発明の第１の補正色温度のホワイトバランスの補正量を逆補正した第２の補正色温度のホワイトバランスを表わすグラフである。
【図５】  この発明の映像表示装置の実施例１のブロック図である。
【図６】  この発明の映像表示装置の実施例２のブロック図である。
【図７】  この発明の映像表示装置の実施例３のブロック図である。
【図８】  この発明の映像表示装置の実施例４のブロック図である。
【符号の説明】
【００４４】１  標準の色温度のホワイトバランス
２  標準の映像表示
３  第１の補正色温度のホワイトバランス
４  第１の偏光特性
５  第１の補正映像表示
６  第２の補正色温度のホワイトバランス
７  第２の偏光特性
８  第２の補正映像表示
９  二重映像表示
１０  目視
１１  ビデオカメラ
１２  偏光フィルタ
１３  第１のビデオプロジェクタ
１４  第１の偏光フィルタ
１５  第２のビデオプロジェクタ
１６  第２の偏光フィルタ
１７  第１の映像表示機
１８  第１の二重映像表示
１９  第２の映像表示機
２０  第１の偏光フィルム
２１  第２の偏光フィルム
２２  ライン交互偏光フィルム
２３  第２の二重映像表示
２４  第３の映像表示機
２５  ０部偏光フィルム
２６  π部偏光フィルム
２７  インターレース０／π部偏光フィルム
２８  第３の二重映像表示
２９  第３のビデオプロジェクタ
３０  液晶面
３１  第４の映像表示機
３２  第４の二重映像表示
【図１】
2005143066.tif 000003
【図２】
2005143066.tif 000004
【図３】
2005143066.tif 000005
【図４】
2005143066.tif 000006
【図５】
2005143066.tif 000007
【図６】
2005143066.tif 000008
【図７】
2005143066.tif 000009
【図８】
2005143066.tif 000010